(57)【要約】【課題】クリップが筒体から外れたり取付基部がガタつくことを防止でき、さらには、クリップ取付時に筒体の外面を傷つけることを防止する。【解決手段】クリップの一対の取付基部１２の端部に、径方向内方に突出する一対の取付片部１３を連設する。筒体２の側壁に軸方向に延びる一対の係合孔２２を設ける。前記係合孔２２に前記取付片部１３を係合させる。前記係合孔２２を、筒体２の前端より前方に開口させ、係合孔２２に取付片部１３を筒体２の前端から挿入する。筒体２の内面に軸方向に延びるリブ２３を設ける。前記リブ２３の両側面に係合溝２３ａを設ける。クリップ１の一対の取付片部１３の端部に、一対の湾曲片部１４を連設する。湾曲片部１４の内側縁部をリブ２３の係合溝２３ａに係合させる。【選択図】  図３
2004148759.tif 000002
【特許請求の範囲】
【請求項１】
クリップの一対の取付基部の端部に、径方向内方に突出する一対の取付片部を連設し、筒体の側壁に、軸方向に延びる一対の係合孔を設け、前記係合孔に前記取付片部を係合させたクリップ取付構造であって、
前記係合孔が、前記筒体の側壁を径方向に貫通し且つ前記筒体の前端より前方に開口し、前記係合孔に前記取付片部を前記筒体の前端から挿入し、
前記筒体の内面に軸方向に延びるリブを設け、前記リブの両側面に軸方向に延びる係合溝を設け、前記クリップの一対の取付片部の端部に、筒体内面に沿った湾曲形状を有する一対の湾曲片部を連設し、前記一対の湾曲片部の内側縁部を前記リブの係合溝に係合させたことを特徴とするクリップ取付構造。
【請求項２】
前記筒体の頂部に頭冠を取り付け、前記頭冠の外面が、前記湾曲片部の内面を径方向外方に支持してなる請求項１記載のクリップ取付構造。
【請求項３】
前記一対の湾曲片部の後端に、後方に突出する一対の突出片部を設け、前記筒体の内面に一対の規制壁部を突設し、前記規制壁部と前記突出片部の外側縁部とを圧接させ、前記湾曲片部の拡開変形を抑止してなる請求項１または２記載のクリップ取付構造。
【発明の詳細な説明】
【０００１】
【発明の属する技術分野】
本発明は、クリップ取付構造に関する。詳細には、クリップの一対の取付基部が、筒体（例えば、筆記具のキャップまたは軸筒）の外周面の略半周を包囲するタイプのクリップ取付構造に関する。尚、本発明で、「前」とは、筒体の頂部側（クリップ取付基部側）を指し、「後」とは、その反対側を指す。
【０００２】
【従来の技術】
従来、特許文献１には、「軸筒後方における１８０°対称の位置に長手方向の透孔を一対穿設し、クリップの後方に軸筒の外側面とほぼ同形状の内側面を有する脚部を一体的に設け、該脚部の両側端に前記透孔より僅かに薄い肉厚で同透孔の長さより僅かに小寸法の舌片をそれぞれ一体的に折曲して設け、前記脚部を軸筒にあてがい押圧することにより、前記舌片を透孔に係合せしめてなるクリップ取り付け装置。」が記載されている。
【０００３】
【特許文献１】
実開平６−５９９０号公報
【０００４】
【発明が解決しようとする課題】
前記従来のクリップ取付構造は、クリップの取付強度が不十分であり、比較的厚みのある被挟持物をクリップに挿入した際、クリップ本体が持ち上げられると、クリップの脚部（本願の取付基部）が径方向外方に開き、透孔（本願の係合孔）から舌片（本願の取付片部）が外れてしまうおそれがある。
【０００５】
また、前記従来のクリップ取付構造は、クリップを軸筒（本願の筒体）に取り付ける際、前記脚部のクリップの舌片が軸筒外面に当たり、軸筒外面を傷つけるおそれがある。
【０００６】
本発明は、前記従来の問題点を解決するものであって、比較的厚みを有する被挟持物を挿入した際に、クリップが筒体から外れたり取付基部がガタつくことを防止でき、さらには、クリップ取付時に筒体の外面を傷つけるおそれがないクリップ取付構造を提供しようとするものである。
【０００７】
【課題を解決するための手段】
〔１〕本発明は、クリップ１の一対の取付基部１２の端部に、径方向内方に突出する一対の取付片部１３を連設し、筒体２の側壁に、軸方向に延びる一対の係合孔２２を設け、前記係合孔２２に前記取付片部１３を係合させたクリップ取付構造であって、前記係合孔２２が、前記筒体２の側壁を径方向に貫通し且つ前記筒体２の前端より前方に開口し、前記係合孔２２に前記取付片部１３を前記筒体２の前端から挿入し、前記筒体２の内面に軸方向に延びるリブ２３を設け、前記リブ２３の両側面に軸方向に延びる係合溝２３ａを設け、前記クリップ１の一対の取付片部１３の端部に、筒体２内面に沿った湾曲形状を有する一対の湾曲片部１４を連設し、前記一対の湾曲片部１４の内側縁部を前記リブ２３の係合溝２３ａに係合させたこと（請求項１）を要件とする。
【０００８】
前記請求項１の「筒体２の内面に軸方向に延びるリブ２３を設け、前記リブ２３の両側面に軸方向に延びる係合溝２３ａを設け、前記クリップ１の一対の取付片部１３の端部に、筒体２内面に沿った湾曲形状を有する一対の湾曲片部１４を連設し、前記一対の湾曲片部１４の内側縁部を前記リブ２３の係合溝２３ａに係合させたこと」により、比較的厚肉の被挟持物の挿入によりクリップ１が持ち上げられた際、一対の取付基部１２が径方向外方へ拡開変形することが抑えられ、取付片部１３が係合孔２２から外れるおそれがなく、安定したクリップ取付構造が得られる。
【０００９】
さらに、「前記係合孔２２が、前記筒体２の側壁を径方向に貫通し且つ前記筒体２の前端より前方に開口し、前記係合孔２２に前記取付片部１３を前記筒体２の前端から挿入すること」により、クリップ１を筒体２に取り付ける際、取付片部１３及び湾曲片部１４が筒体２の外面に接触することがなく、筒体２の外面を傷つけるおそれがない。
【００１０】
〔２〕前記請求項１のクリップ取付構造において、前記筒体２の頂部に頭冠３を取り付け、前記頭冠３の外面が、前記湾曲片部１４の内面を径方向外方に支持してなること（請求項２）が好ましい。それにより、クリップ１の湾曲片部１４のガタつきが抑えられ、より一層、クリップ１が筒体２に強固に固定される。
【００１１】
〔３〕前記請求項１または２記載のクリップ取付構造において、前記一対の湾曲片部１４の後端に、後方に突出する一対の突出片部１４ａを設け、前記筒体２の内面に一対の規制壁部２４を突設し、前記規制壁部２４と前記突出片部１４ａの外側縁部とを圧接させ、前記湾曲片部１４の拡開変形を抑止してなること（請求項３）が好ましい。それにより、さらに、クリップ１の湾曲片部１４のガタつきが抑えられ、より一層、クリップ１と筒体２との強固な固定が可能となる。
【００１２】
【発明の実施の形態】
本発明の実施の形態を図面に従って説明する。
【００１３】
図１〜図７に本発明の一実施例を示す。本実施例のクリップ取付構造は、クリップ１と、筒体２と、頭冠３とからなる。
【００１４】
・クリップ
前記クリップ１は、金属板からなり、クリップ本体１、取付基部１２、取付片部１３、湾曲片部１４、及び玉部１５が折曲により一体に連設されてなる。前記クリップ本体の前端には、一対の取付基部１２が連設される。そして、前記取付基部１２の各々の端部には、径方向内方に突出する一対の取付片部１３が形成される。さらに、前記取付片部１３の各々端部には、軸方向に延びる一対の湾曲片部１４がクリップ本体１１側に連設される。前記一対の湾曲片部１４は、筒体２の内面に沿った湾曲形状を有する。また、前記各々の湾曲片部１４の内側縁部（即ち湾曲片部１４の対面側の側縁部）には、のこ歯状の凹凸部１４ｂが形成される。さらに、前記湾曲片部１４の後端部には、軸方向後方に突出する突出片部１４ａが設けられる。尚、前記取付基部１２、取付片部１３、及び湾曲片部１４は、それぞれ、少なくとも１対、設ければよい。
【００１５】
・筒体
前記筒体２は、筆記具のキャップであり、合成樹脂の射出成形により得られる。前記筒体２の前端部には、小径部２１が設けられている。前記筒体２の前端部の側壁には、軸方向に延びる一対の係合孔２２が、筒体２の中心に対する対称位置（具体的には１８０度の対称位置）に形成される。前記係合孔２２は、軸方向前方に開口し且つ径方向に貫通される。前記係合孔２２にクリップ１の取付片部１３が筒体２前端より挿入される。そして、クリップ１の一対の取付基部１２により、前記筒体２の外周面の略半周が包囲される。尚、前記筒体２は、キャップの他、筆記具の軸筒であってもよい。
【００１６】
筒体２の前端部の内面（具体的には、筒体２の前端部のクリップ本体１１側内面）には、軸方向に延びるリブ２３が一体に突設される。前記リブ２３は横断面Ｔ字状を有し、両側面に軸方向に延びる係合溝２３ａが形成される。前記リブ２３の係合溝２３ａに、クリップ１の湾曲片部１４の周方向の内側縁部が係合する。さらに、湾曲片部１４の内側縁部に設けた凹凸部１４ｂが、リブ２３に食いつき係合され、クリップ１の軸方向の脱落が防止される。
【００１７】
前記リブ２３の後端部の周方向両側に僅かに間隔を置いた位置には、軸方向に延びる板状リブよりなる一対の規制壁部２４が形成される。前記規制壁部２４は、前記クリップ１の一対の湾曲片部１４の突出片部１４ａの外側縁部と周方向に圧接し、湾曲片部１４の拡開変形を抑止する。本実施例では、図４に示すように、前記一対の突出片部１４ａは、リブ２３と規制壁部２４との間に圧入され、それにより、より一層、強固な固定が可能となる。また、本実施例では、前記規制壁部２４は、キャップ内に配置されるペン先シール部材４を保持するための放射状リブ２５と一体に連設され、それにより、金型による成形を容易にする。
【００１８】
・頭冠
前記頭冠３は、合成樹脂の射出成形により得られ、筒体２の頂部に固着される。前記頭冠３は、有底筒状の外筒部３１と、該外筒部３１内の頂壁３４から後方に突設される一対の半筒状の脚片３２とからなる。尚、前記脚片３２は、少なくとも１対、設ければよい。
【００１９】
前記外筒部３１は、筒体２の前端部（即ち小径部２１）の外面に被着される。前記脚片３２は、クリップ１の湾曲片部１４が挿入された筒体２の小径部２１内に、前記リブ２３をまたいで圧入される。前記一対の脚片３２の外周面は、クリップ１の湾曲片部１４の内面と径方向に圧接する。
【００２０】
また、前記頭冠３の外筒部３１には、軸方向後方に開口し且つ径方向に貫通する一対の長孔３３が設けられる。前記長孔３３は、頭冠３を筒体２に取り付けた際、筒体２の係合孔２２と一致する位置に設けられ、前記長孔３３にクリップ１の取付片部１３が挿入される。
【００２１】
【発明の効果】
請求項１により、比較的厚みを有する被挟持物を挿入した際にクリップが筒体から外れるおそれがなく、しかも、クリップ取付時に筒体の外面が傷つけられるおそれがない。
【００２２】
請求項２により、クリップの湾曲片部のガタつきが抑えられ、より一層、クリップが筒体に強固に固定される。
【００２３】
請求項３により、さらに、クリップの湾曲片部のガタつきが抑えられ、より一層、クリップと筒体との強固な固定が得られる。
【図面の簡単な説明】
【図１】本発明の一実施例を示す外観図である。
【図２】図１の要部拡大縦断面図である。
【図３】図２のＡ−Ａ線拡大断面図である。
【図４】図２のＢ−Ｂ線拡大断面図である。
【図５】（ａ）が図２のクリップの湾曲片部を示す要部外観図であり、（ｂ）が図２の筒体内面のリブ及び規制壁部を示す要部縦断面図である。
【図６】図２のクリップの取付基部側を示す要部縦断面図である。
【図７】図６のクリップの取付基部側を前方から見た図である。
【符号の説明】
１  クリップ
１１  クリップ本体
１２  取付基部
１３  取付片部
１４  湾曲片部
１４ａ  突出片部
１４ｂ  凹凸部
１５  玉部
２  筒体
２１  小径部
２２  係合孔
２３  リブ
２３ａ  係合溝
２４  規制壁部
２５  放射状リブ
３  頭冠
３１  外筒部
３２  脚片
３３  長孔
３４  頂壁
４  ペン先シール部材
【図１】
2004148759.tif 000003
【図２】
2004148759.tif 000004
【図３】
2004148759.tif 000005
【図４】
2004148759.tif 000006
【図５】
2004148759.tif 000007
【図６】
2004148759.tif 000008
【図７】
2004148759.tif 000009